(57)【要約】【課題】視聴者の個々の状況に合わせ、リアルタイムにパーソナライズされた映像を配信する。【解決手段】コンテンツデータを構成する素材データに動画Ｄ１が含まれる場合に、その動画Ｄ１を連続画像ファイルＤ３０に変換する動画変換部２１６と、配信ユーザーの操作に基づいて、素材データ又は連続画像ファイルＤ３０を任意に組み合わせて表示するためのオーサリングデータＤ３を生成するオーサリング部２１４と、連続画像ファイルＤ３０に重ね合わせて表示可能な埋込データを格納する埋込データベース２５３と、オーサリングデータ及び埋込データに基づいて表示用データＤ５を生成して配信する配信部２３１とを備え、クライアント端末３は、取得した表示用データＤ５に基づいて、動画Ｄ１又は連続画像ファイルＤ３０を選択的に読み込んで、読み込んだ素材データ又は連続画像ファイルＤ３０に埋込データＤ４を重ね合わせて表示する。【選択図】  図１
2016208111.tif 000002
【特許請求の範囲】
【請求項１】
通信ネットワークを通じてクライアント端末に対してコンテンツデータを配信するコンテンツ配信システムであって、
前記コンテンツデータを構成する文字、動画、音声、画像のうち少なくとも一つを含む素材データを格納する素材データ格納部と、
前記素材データ格納部に格納された素材データに動画が含まれる場合に、その動画に含まれる各フレームを連続した複数の画像ファイルとして抽出し、連続画像ファイルに変換する動画変換部と、
配信ユーザーの操作に基づいて、素材データ又は連続画像ファイルを任意に組み合わせて表示するためのオーサリングデータを生成するオーサリング部と、
前記連続画像ファイルに重ね合わせて表示可能な埋込データを格納する埋込データ蓄積部と、
前記オーサリングデータ及び前記埋込データに基づいて表示用データを生成し、前記クライアント端末が閲覧可能に配信する配信部と、
を備え、前記クライアント端末は、
前記配信部を通じて前記表示用データを取得し、取得した表示用データに基づいて、前記素材データ又は前記連続画像ファイルを選択的に読み込んで、読み込んだ素材データ又は連続画像ファイルに前記埋込データを重ね合わせて表示するブラウザ部と
を備えていることを特徴とするコンテンツ配信システム。
【請求項２】
動画変換部は、前記クライアント端末における閲覧環境に基づいて、前記連続画像ファイルへの変換を行い、
前記ブラウザ部は、自機の閲覧環境に応じて、前記素材データ又は前記連続画像ファイルを選択して読み込んで、読み込んだ素材データ又は連続画像ファイルに前記埋込データを重ね合わせて表示する
ことを特徴とする請求項１に記載のコンテンツ配信システム。
【請求項３】
各コンテンツデータの配信期間、又は閲覧可能なアクセス権限を制御するための配信管理データを蓄積する配信管理データ蓄積部と、
前記配信管理データにより閲覧が可能とされているコンテンツデータに対するアクセスを許可するための映像ＵＲＬを発行するＵＲＬ発行部と
をさらに備え、
前記配信部は、前記表示用データに前記映像ＵＲＬを組み込んで、前記クライアント端末に配信する
ことを特徴とする請求項１に記載のコンテンツ配信システム。
【請求項４】
前記映像ＵＲＬは、アクセス回数が１回に限定されたワンタイムＵＲＬであることを特徴とする請求項３に記載のコンテンツ管理システム。
【請求項５】
通信ネットワークを通じてクライアント端末に対してコンテンツデータを配信するコンテンツ配信方法であって、
素材データ格納部が、前記コンテンツデータを構成する文字、動画、音声、画像のうち少なくとも一つを含む素材データを格納する素材データ格納ステップと、
前記素材データ格納部に格納された素材データに動画が含まれる場合に、動画変換部が、前記動画に含まれる各フレームを連続した複数の画像ファイルとして抽出し、連続画像ファイルに変換する動画変換ステップと、
オーサリング部が、配信ユーザーの操作に基づいて、素材データ又は連続画像ファイルを任意に組み合わせて表示するためのオーサリングデータを生成するオーサリングステップと、
前記連続画像ファイルに重ね合わせて表示可能な埋込データを埋込データ蓄積部が格納する埋込データ蓄積ステップと、
配信部が、前記オーサリングデータ及び前記埋込データに基づいて表示用データを生成し、前記クライアント端末で閲覧可能に配信する配信ステップと、
前記クライアント端末において、ブラウザ部が、前記配信部を通じて前記表示用データを取得し、取得した表示用データに基づいて、前記素材データ又は前記連続画像ファイルを選択的に読み込んで、読み込んだ素材データ又は連続画像ファイルに前記埋込データを重ね合わせて表示する閲覧ステップと
を有していることを特徴とするコンテンツ配信方法。
【請求項６】
サーバー装置から、通信ネットワークを通じてクライアント端末に対してコンテンツデータを配信するコンテンツ配信プログラムであって、前記サーバー装置に、
素材データ格納部が、前記コンテンツデータを構成する文字、動画、音声、画像のうち少なくとも一つを含む素材データを格納する素材データ格納ステップと、
前記素材データ格納部に格納された素材データに動画が含まれる場合に、動画変換部が、前記動画に含まれる各フレームを連続した複数の画像ファイルとして抽出し、連続画像ファイルに変換する動画変換ステップと、
オーサリング部が、配信ユーザーの操作に基づいて、素材データ又は連続画像ファイルを任意に組み合わせて表示するためのオーサリングデータを生成するオーサリングステップと、
前記連続画像ファイルに重ね合わせて表示可能な埋込データを埋込データ蓄積部が格納する埋込データ蓄積ステップと、
配信部が、前記オーサリングデータ及び前記埋込データに基づいて表示用データを生成し、前記クライアント端末で閲覧可能に配信する配信ステップと、
前記クライアント端末のブラウザ部において、前記配信部を通じて前記表示用データを取得させ、取得した表示用データに基づいて、前記素材データ又は前記連続画像ファイルを選択的に読み込ませて、読み込ませた素材データ又は連続画像ファイルに前記埋込データを重ね合わせて表示させる閲覧ステップと
を有する処理を実行させることを特徴とするコンテンツ配信プログラム。
【発明の詳細な説明】
【技術分野】
【０００１】
本発明は、通信ネットワークを通じて、ユーザーの使用するクライアント端末に対して映像（動画）を含むコンテンツデータを配信するコンテンツ配信システム、コンテンツ配信方法及びコンテンツ配信プログラムに関する。
【背景技術】
【０００２】
近年、Ｗｅｂ等のネットワークを通じてコンテンツを配信する技術は高度に進歩し、種々の情報がテキストデータや、静止画、音響、動画といった各種のメディアを通じて配信されている。これらの各種メディアのうち、特に、動画というメディアは、分かりやすく短時間で情報を伝えられるという利点があることから、情報を動画で表現したコンテンツを作成し、この動画コンテンツを、情報伝達の主要な部分に配置した手法が多く採用されている。従来、この動画コンテンツの配信方法としては、一つの同じ動画を多数の視聴者へ配信する、所謂ブロードキャストと呼ばれるものが主流となっている（例えば、特許文献１参照）。
【先行技術文献】
【特許文献】
【０００３】
【特許文献１】再表２００４／０７１０８９号公報
【発明の概要】
【発明が解決しようとする課題】
【０００４】
ところで、近年では、スマートフォンやモバイルＰＣなど携帯性の高い情報端末が普及するのに伴い、種々の情報が特定の個人向けに、各人の状況に合わせ、パーソナライズされて配信される要請が増大している。
【０００５】
しかしながら、映像メディアは、上記の利点がある反面、特定の閲覧者毎にパーソナライズされた情報を伝えるために、閲覧者数分の映像を作成し、配信する必要があることから、これまでの映像メディアの作成手法では、作成時間・コストの問題で実現が難しいという問題があった。
【０００６】
そこで、本発明は、上記のような問題を解決するものであり、通信ネットワークを通じてクライアント端末に対してコンテンツデータを配信する際、視聴者の個々の状況に合わせ、リアルタイムにパーソナライズされた映像を配信できるシステム、方法及びプログラムを提供することを目的とする。
【課題を解決するための手段】
【０００７】
上記課題を解決するため、本発明は、通信ネットワークを通じてクライアント端末に対してコンテンツデータを配信するコンテンツ配信システムであって、
前記コンテンツデータを構成する文字、動画、音声、画像のうち少なくとも一つを含む素材データを格納する素材データ格納部と、
前記素材データ格納部に格納された素材データに動画が含まれる場合に、その動画に含まれる各フレームを連続した複数の画像ファイルとして抽出し、連続画像ファイルに変換する動画変換部と、
配信ユーザーの操作に基づいて、素材データ又は連続画像ファイルを任意に組み合わせて表示するためのオーサリングデータを生成するオーサリング部と、
前記連続画像ファイルに重ね合わせて表示可能な埋込データを格納する埋込データ蓄積部と、
前記オーサリングデータ及び前記埋込データに基づいて表示用データを生成し、前記クライアント端末が閲覧可能に配信する配信部とを備え、
前記クライアント端末は、前記配信部を通じて前記表示用データを取得し、取得した表示用データに基づいて、前記素材データ又は前記連続画像ファイルを選択的に読み込んで、読み込んだ素材データ又は連続画像ファイルに前記埋込データを重ね合わせて表示するブラウザ部とを備えていることを特徴とする。
【０００８】
この発明によれば、映像（動画）を含む素材データに、埋込データを重ね合わせて表示用データを配信し、この表示用データをユーザーが使用するクライアント端末のブラウザ部に表示させることができる。この埋込データは、ユーザー毎にパーソナライズすることが可能であり、表示用データは、動画の素材データを選択的に組み合わせることができることから、これらの埋込データと動画の素材データとを適宜組み合わせ、重ね合わせて表示させることによって、ユーザー毎にパーソナライズされた映像を閲覧させることができる。特に、動画の素材データは、連続した複数の画像ファイルとして表示用データに組み込まれることから、例えば、従来の一般的なＨＴＭＬのＶｉｄｅｏタグでの表示方法では、動画と他の素材データとを重ね合わせて表示できないスマートフォン等に一般的に備えられているブラウザや、その他閲覧環境においても、この発明により、ユーザー毎にパーソナライズされた映像を配信することができる。
【０００９】
また、動画データと埋込データとを重ね合わせることによって、表示された動画からユーザーを他のサイトに遷移させることができ、その動画を視聴したユーザーに対し、ユーザー毎にパーソナライズされたプロモーションを行うこともできる。
【００１０】
上記発明において、動画変換部は、前記クライアント端末における閲覧環境に基づいて、前記連続画像ファイルへの変換を行い、前記ブラウザ部は、自機の閲覧環境に応じて、前記素材データ又は前記連続画像ファイルを選択して読み込んで、読み込んだ素材データ又は連続画像ファイルに前記埋込データを重ね合わせて表示することが好ましい。
【００１１】
この場合には、ユーザーの使用するクライアント端末の能力や機能等に基づく閲覧環境に応じて、素材データの動画ファイルや連続画像ファイルを適宜選択して表示させることから、より適正なコンテンツを配信することができる。
【００１２】
上記発明では、各コンテンツデータの配信期間、又は閲覧可能なアクセス権限を制御するための配信管理データを蓄積する配信管理データ蓄積部と、
前記配信管理データにより閲覧が可能とされているコンテンツデータに対するアクセスを許可するための映像ＵＲＬを発行するＵＲＬ発行部とをさらに備え、
前記配信部は、前記表示用データに前記映像ＵＲＬを組み込んで、前記クライアント端末に配信することが好ましい。
【００１３】
この場合には、配信管理データ蓄積部に、ユーザー毎又はコンテンツデータ毎に配信期間やアクセス権限を設定する配信管理データを蓄積しておき、ユーザー毎又はコンテンツデータ毎に閲覧可能と設定されたコンテンツデータの映像ＵＲＬを発行することにより、映像ＵＲＬに対する制御を通じて、ユーザー毎又はコンテンツデータ毎に閲覧を管理することができ、ユーザーのアクセス権限や、コンテンツの有効期間を反映させたパーソナライズを可能とすることができる。
【００１４】
上記発明では、前記映像ＵＲＬは、アクセス回数が１回に限定されたワンタイムＵＲＬであることが好ましい。この場合には、例えば、ユーザーになりすまして他人の情報を閲覧するなどの、悪意あるアクセスを防止でき、パーソナライズされたコンテンツのセキュリティを向上させることができる。
【００１５】
第２の発明は、通信ネットワークを通じてクライアント端末に対してコンテンツデータを配信するコンテンツ配信方法であって、
素材データ格納部が、前記コンテンツデータを構成する文字、動画、音声、画像のうち少なくとも一つを含む素材データを格納する素材データ格納ステップと、
前記素材データ格納部に格納された素材データに動画が含まれる場合に、動画変換部が、前記動画に含まれる各フレームを連続した複数の画像ファイルとして抽出し、連続画像ファイルに変換する動画変換ステップと、
オーサリング部が、配信ユーザーの操作に基づいて、素材データ又は連続画像ファイルを任意に組み合わせて表示するためのオーサリングデータを生成するオーサリングステップと、
前記連続画像ファイルに重ね合わせて表示可能な埋込データを埋込データ蓄積部が格納する埋込データ蓄積ステップと、
配信部が、前記オーサリングデータ及び前記埋込データに基づいて表示用データを生成し、前記クライアント端末で閲覧可能に配信する配信ステップと、
前記クライアント端末において、ブラウザ部が、前記配信部を通じて前記表示用データを取得し、取得した表示用データに基づいて、前記素材データ又は前記連続画像ファイルを選択的に読み込んで、読み込んだ素材データ又は連続画像ファイルに前記埋込データを重ね合わせて表示する閲覧ステップと
を有していることを特徴とする。
【００１６】
この発明によれば、映像（動画）を含む素材データに、埋込データを重ね合わせて表示用データを配信し、この表示用データをユーザーが使用するクライアント端末のブラウザ部に表示させることができる。この埋込データは、ユーザー毎にパーソナライズすることが可能であり、表示用データは、動画の素材データを選択的に組み合わせることができることから、これらの埋込データと動画の素材データとを適宜組み合わせ、重ね合わせて表示させることによって、ユーザー毎にパーソナライズされた映像を閲覧させることができる。特に、動画の素材データは、連続した複数の画像ファイルとして表示用データに組み込まれることから、例えば、従来の一般的なＨＴＭＬのＶｉｄｅｏタグでの表示方法では、動画と他の素材データとを重ね合わせて表示できないスマートフォン等に一般的に備えられているブラウザや、その他閲覧環境においても、ユーザー毎にパーソナライズされた映像を配信することができる。
【００１７】
さらに、第３の発明は、サーバー装置から、通信ネットワークを通じてクライアント端末に対してコンテンツデータを配信するコンテンツ配信プログラムであって、前記サーバー装置に、
素材データ格納部が、前記コンテンツデータを構成する文字、動画、音声、画像のうち少なくとも一つを含む素材データを格納する素材データ格納ステップと、
前記素材データ格納部に格納された素材データに動画が含まれる場合に、動画変換部が、前記動画に含まれる各フレームを連続した複数の画像ファイルとして抽出し、連続画像ファイルに変換する動画変換ステップと、
オーサリング部が、配信ユーザーの操作に基づいて、素材データ又は連続画像ファイルを任意に組み合わせて表示するためのオーサリングデータを生成するオーサリングステップと、
前記連続画像ファイルに重ね合わせて表示可能な埋込データを埋込データ蓄積部が格納する埋込データ蓄積ステップと、
配信部が、前記オーサリングデータ及び前記埋込データに基づいて表示用データを生成し、前記クライアント端末で閲覧可能に配信する配信ステップと、
前記クライアント端末のブラウザ部において、前記配信部を通じて前記表示用データを取得させ、取得した表示用データに基づいて、前記素材データ又は前記連続画像ファイルを選択的に読み込ませて、読み込ませた素材データ又は連続画像ファイルに前記埋込データを重ね合わせて表示させる閲覧ステップと
を有する処理を実行させることを特徴とする。
【００１８】
この発明によれば、サーバー装置から、映像（動画）を含む素材データに、埋込データを重ね合わせて表示用データを配信し、この表示用データをユーザーが使用するクライアント端末のブラウザ部に表示させることができる。この埋込データは、ユーザー毎にパーソナライズすることが可能であり、表示用データは、動画の素材データを選択的に組み合わせることができることから、これらの埋込データと動画の素材データとを適宜組み合わせ、重ね合わせて表示させることによって、ユーザー毎にパーソナライズされた映像を閲覧させることができる。特に、動画の素材データは、連続した複数の画像ファイルとして表示用データに組み込まれることから、例えば、従来の一般的なＨＴＭＬのＶｉｄｅｏタグでの表示方法では、動画と他の素材データとを重ね合わせて表示できないスマートフォン等に一般的に備えられているブラウザや、その他閲覧環境においても、ユーザー毎にパーソナライズされた映像を配信することができる。
【発明の効果】
【００１９】
以上述べたように、これらの発明によれば、通信ネットワークを通じてクライアント端末に対してコンテンツデータを配信する際、埋込データと動画の素材データとを適宜組み合わせ、重ね合わせて表示させることによって、視聴者の個々の状況に合わせ、リアルタイムにパーソナライズされた映像を配信できる。このパーソナライズされた映像としては、例えば、ユーザー毎に金額が異なるような携帯電話の料金案内や、ユーザーに向けたプロモーション動画、ユーザーが購入した商品の使い方を説明した動画、ユーザーに最適化された広告、ユーザーの興味に合わせたニュース動画、ユーザーが購入検討しているEC商品・オークションの動画などが挙げられる。
【図面の簡単な説明】
【００２０】
【図１】実施形態に係るコンテンツ配信システムの全体構成を示す概念図である。
【図２】実施形態に係るコンテンツ配信システムの内部構成を示すブロック図である。
【図３】実施形態に係るオーサリングシステム、ＵＲＬ発行Ｉ／Ｆ、及びビューシステムの内部構成を示すブロック図である。
【図４】実施形態に係る素材データに基づいて変換された連続画像ファイルを示す説明図である。
【図５】実施形態に係るコンテンツ配信方法の概要を示す説明図であり、
【図６Ａ】実施形態に係るコンテンツ配信方法の詳細を示す説明図である。
【図６Ｂ】実施形態に係るコンテンツ配信方法の詳細を示す説明図である。
【図７】実施形態に係る表示用データのデータ構成の概要を示す説明図である。
【発明を実施するための形態】
【００２１】
以下に添付図面を参照して、本発明に係るコンテンツ配信システムの実施形態を詳細に説明する。
【００２２】
（コンテンツ配信システム）
図１は、本実施形態に係るコンテンツ配信システムの全体構成を示す概念図である。図１に示すように、本実施形態に係るコンテンツ配信システムは、通信ネットワーク５を通じてクライアント端末３（３ａ，３ｂ）に対してコンテンツデータを配信するシステムであって、通信ネットワーク５上には、コンテンツの製作及び配信を管理するサーバー群であるコンテンツ配信システム２及び外部システム４と、コンテンツを製作し配信する配信ユーザーＵ１が所持する配信者用端末１と、コンテンツを閲覧する各閲覧ユーザーＵ２が所持するクライアント端末３（３ａ及び３ｂ）とが相互にアクセス可能に配置されている。
【００２３】
通信ネットワーク５は、無線通信網を含み、通信プロトコルＴＣＰ／ＩＰを用いて種々の通信回線（電話回線やＩＳＤＮ回線、ＡＤＳＬ回線、光回線などの公衆回線、専用回線、４Ｇ、ＬＴＥ、３Ｇなど無線通信網）を相互に接続して構築される分散型の通信ネットワークであり、この通信ネットワーク５には、１０ＢＡＳＥ?Ｔや１００ＢＡＳＥ?ＴＸ等によるイントラネット（企業内ネットワーク）や、所定領域（企業、家庭等）内ネットワークなどのＬＡＮ・Ｗｉｆｉなども含まれる。
【００２４】
無線基地局６は、中継装置を通じて通信ネットワーク５に接続され、クライアント端末３との間で無線通信接続を確立し、クライアント端末３による通話やデータ通信を提供する装置である。中継装置は、通信ネットワーク５に接続するためのモデムやターミナルアダプタ、ゲートウェイ装置等のノード装置であり、通信経路の選択や、データ（信号）の相互変換を行い、無線基地局６と、通信ネットワーク５との間における中継処理を行う。この中継装置には、Ｗｉ?Ｆｉ（登録商標）ルーターやアクセスポイント装置の機能も含まれ、クライアント端末３と無線通信を行っている。
【００２５】
コンテンツ配信システム２は、配信ユーザーＵ１などに対するユーザー管理機能や、動画製作プラットフォームを含むコンテンツ製作機能、及びコンテンツ配信機能を有するサーバー装置であり、複数の機能を分散させたサーバー群で実現可能となっている。このコンテンツ配信システム２には、Ｗｅｂサーバーが含まれ、ＷＷＷ（World Wide Web）等のドキュメントシステムにおいて、ＨＴＭＬ（HyperText Markup Language）、文字、動画、音声、画像のうち少なくとも一つを含む素材データから構成され、配信ユーザーＵ１によって製作された表示用データ（コンテンツ）の配信を行うようになっている。具体的に、コンテンツ配信システム２は、配信者用端末１からアップロードされた素材データや予め用意された素材データに基づいてオーサリングデータを製作するとともに、オーサリングデータに埋込データを埋め込み、その後、クライアント端末３上で実行されるブラウザ部３１の要求に応じて、図７に示すように、オーサリングデータＤ３及び埋込データＤ４を含む表示用データＤ５をクライアント端末３に配信する。
【００２６】
なお、ここで、オーサリングデータＤ３とは、動画や静止画、音響などの素材データを加工・編集したり、それらを組み合わせて製作されるコンテンツデータであり、各素材データの配置などの表示形態が編集可能となっている。特に、本実施形態においてこのオーサリングデータＤ３には、図４に示すような、動画Ｄ１を変換した連続画像D３０が含まれる。また、埋込データＤ４とは、オーサリングデータに重ね合わせて表示可能なデータであり、文字、音声、画像などが含まれており、各ユーザー向けにパーソナライズされた文字列や画像、音響などが挙げられる。
【００２７】
このパーソナライズされた映像としては、例えば、ユーザー毎に金額が異なるような携帯電話の料金案内や、ユーザーに向けたプロモーション動画、ユーザーが購入した商品の使い方を説明した動画、ユーザーに最適化された広告、ユーザーの興味に合わせたニュース動画、ユーザーが購入検討しているEC商品・オークションの動画などが挙げられる。
【００２８】
また、連続画像Ｄ３０と埋込データＤ４とを重ね合わせることによって、表示された動画からユーザーを他のサイトに遷移させることができ、その動画を視聴したユーザーに対し、ユーザー毎にパーソナライズされたプロモーションを行うこともできる。
【００２９】
配信者用端末１及びクライアント端末３は、ＣＰＵによる演算処理機能、及び通信インターフェースによる通信処理機能を備えた情報端末装置であり、例えば、パーソナルコンピューター等の汎用コンピューター３ｂや、機能を特化させた専用装置、或いはスマートフォン、タブレットＰＣ、モバイルＰＣ又は携帯電話などのモバイルコンピューター３ａを採用することができる。
【００３０】
これら配信者用端末１及びクライアント端末３には、通信ネットワーク５上からＨＴＭＬなどのＷｅｂページのデータを受信してモニターに表示させるブラウザ機能を有している。このブラウザ機能によって、配信者用端末１では、コンテンツデータの素材となる素材データをコンテンツ配信システム２にアップロードするとともにコンテンツデータを製作する。一方、クライアント端末３では、製作されたコンテンツデータをコンテンツ配信システム２から受信して表示装置に表示させる。
【００３１】
外部システム４は、ＳＮＳ（ｓｏｃｉａｌ  ｎｅｔｗｏｒｋｉｎｇ  ｓｅｒｖｉｃｅ）サービス、動画共有サービス、アドネットワーク（広告配信プラットフォーム）、メールマガジン配信サービスなどを運営する事業者が管理するシステムであり、ＳＮＳサービスや動画共有サービスを提供するためのサーバーアプリケーションを運用する機能を備える。この外部システム４は、Ｗｅｂサーバーを備え、ＷＷＷ等のドキュメントシステムにおいて、ＨＴＭＬファイルや画像ファイル、音楽ファイルなどの情報送信を行うサーバーコンピューター或いはその機能を持ったソフトウェアで実現され、ＨＴＭＬ文書や画像などの情報を蓄積しておき、サーバー装置上で実行されるＷｅｂブラウザなどのアプリケーションの要求に応じて、各種情報の配信を行う。
【００３２】
この外部システム４によって、画像や動画などのコンテンツをインターネット上のサーバーに投稿することによって不特定多数の利用者で共有し、視聴可能とさせたり、通信媒体を通じてユーザー間においてコミュニティを形成させたりすることができる。特に、本実施形態では、外部システム４が提供するＨＴＭＬに、コンテンツ配信システム２が製作したコンテンツを組み合わせて配信するようになっている。
【００３３】
（各装置の内部構造）
次いで、上述したコンテンツ配信システムを構成する各装置の内部構造について説明する。図２は、本実施形態に係るコンテンツ配信システム２の内部構成を示すブロック図であり、図３は、本実施形態に係るオーサリングシステム、ＵＲＬ発行Ｉ／Ｆ、及びビューシステムの内部構成を示すブロック図である。また、図４は、本実施形態に係る素材データに基づいて変換された連続画像ファイルを示す説明図である。なお、説明中で用いられる「モジュール」とは、サーバー装置や機器等のハードウェア、或いはその機能を持ったソフトウェア、又はこれらの組み合わせなどによって構成され、所定の動作を達成するための機能単位を示す。
【００３４】
このコンテンツ配信システム２は、コンテンツの素材となる素材データを製作する機能や、製作されたコンテンツの配信などの管理を行う機能を併せ持っており、単一のサーバー装置、或いは複数のサーバー群で構成することができ、これらサーバー装置上で実行されるアプリケーションにより、各種の機能モジュールが構築される。本実施形態においてコンテンツ配信システム２は、複数の機能を分散させたサーバー群となっており、具体的には、オーサリングシステム２１と、ＵＲＬ発行インターフェース２２と、ビューシステム２３と、データベース２５と、ファイル（素材データ）システム２６と、ファイル（変換後素材データ）システム２７と、認証部２４とを備えている。
【００３５】
認証部２４は、アクセス者の正当性を検証するコンピューター或いはその機能を持ったソフトウェアであり、例えば、配信者用端末１から送信されたＩＤ及びパスワードなどの認証データを取得し、認証部２４内のユーザーデータベースに蓄積された認証情報を参照してアクセスを許可するか否かの判断をする。なお、本実施形態では、コンテンツ配信システム２が、配信ユーザーＵ１の管理を行い、閲覧ユーザーＵ２の管理は外部システム４側で行う。従ってこの認証部２４には、配信者用端末１を識別する配信者識別子が記憶され、配信者用識別子には配信者が製作した表示用データを識別する映像ＩＤが関連付けて記憶される。
【００３６】
オーサリングシステム２１は、文字や画像、音声、動画などの素材データを編集したり、組み合わせたりしてコンテンツを製作するモジュールであり、図３に示すように、ログイン部２１１と、素材管理部２１２と、埋込データ定義部２１３と、オーサリング部２１４と、配信管理部２１５とを備えている。
【００３７】
ログイン部２１１は、認証部２４を通じて取得される配信者識別子に基づいて、オーサリングシステム２１等のインターフェースに対するアクセス権限の有無を検証するモジュールである。具体的には、配信ユーザーＵ１の配信者用端末１を識別する配信者識別子を取得し、ユーザーデータベースに蓄積された認証情報を参照して、アクセスの可否を判断する。
【００３８】
素材管理部２１２は、配信者用端末１からアップロードされた素材データを取得して、ファイルシステム２６に格納するモジュールである。この際、素材管理部２１２は、アップロード時に識別した配信者識別子に素材データを関連付けてファイルシステム２６に保存する。ファイル（素材データ）システム２６は、オーサリングシステム２１によってアップロードされた素材データを一時的に格納したり、予め用意された素材データを格納する記憶装置である。このファイルシステム２６では、配信者用端末１からアップロードされた形式のまま保存する。
【００３９】
動画変換部２１６は、素材データ又は埋込データなどの各種データを変換処理するモジュールである。例えば、動画変換部２１６は、ファイルシステム２６に格納された素材データに映像が含まれる場合に、その動画に含まれる各フレームを連続した複数の画像ファイルＤ３１〜Ｄ３５として抽出し、連続画像ファイルＤ３０に変換する。具体的には、図４（ａ）に示すように、動画変換部２１６は、動画Ｄ１を複数の画像ファイルＤ３１〜Ｄ３５に分割するとともに、再生リストＤ２を生成する。この再生リストＤ２には、画像ファイルＤ３１〜Ｄ３５のファイル名及び配列順序が記憶される。各画像ファイルＤ３１〜Ｄ３５は、ｊｓｏｎなどのテキストベースのデータフォーマットとなっている。
【００４０】
さらに、動画変換部２１６は、クライアント端末３が、いずれの機種のスマートフォン、携帯電話、或いはパーソナルコンピューター（ブラウザソフト）なのかといった、閲覧環境に基づいて、連続画像ファイルへの変換を行う機能も備えている。この閲覧環境に基づく変換としては、例えば、アクセスがある度にクライアント端末３の機種に関する情報をクライアント端末３から取得して、その取得した機種に関する情報に応じた形式のみを行ってもよく、また、予めクライアントすべての機種に応じた形式に一括して行っておき、アクセスがあったクライアント端末３の機種に応じた形式のファイルを選択して配信するようにしてもよい。そして、変換された連続画像ファイル、又はその他の素材データは、ファイル（変換後素材データ）システム２７に蓄積される。また、動画変換部２１６は、テキストデータを音声データに変換するＴＴＳエンジンなどを有しており、外部システム４から文字などの埋込データを取得した際において、その文字を音声データに変換する。
【００４１】
オーサリング部２１４は、配信ユーザーＵ１の操作に基づいて、素材データ又は連続画像ファイルを任意に組み合わせて、表示するためのオーサリングデータを生成するモジュールである。ここで、オーサリングデータとは、各素材データの格納先を示すＵＲＬ情報や、各素材データが配置される座標情報などが含まれた定義データである。本実施形態において、オーサリング部２１４は、ユーザー操作に応じて、ファイル（変換後素材データ）システム２７に記憶された連続画像ファイル、又はその他の素材データを取り出し、各データの配置場所などの設定を受け付ける。このオーサリング部２１４によって製作されたオーサリングデータは、最終的にクライアント端末３に表示される表示用データを識別する映像ＩＤに関連付けてオーサリングデータベース２５１に記憶される。
【００４２】
埋込データ定義部２１３は、連続画像ファイルを含む素材データに対して、重ね合わせて表示する埋込データの座標位置や表示方法などの定義を設定するモジュールである。埋込データ定義部２１３は、ユーザー操作に応じて、重ね合わせて表示する埋込データの座標位置などが定義された埋込定義データを生成し、生成された埋込定義データをオーサリングデータベース２５１に記憶する。
【００４３】
配信管理部２１５は、各コンテンツデータの配信期間、又は閲覧可能なアクセス権限を制御するモジュールであり、配信ユーザーＵ１の操作によって、配信期間やアクセス権限が配信管理データとして設定され、この設定された配信管理データは、配信管理データベース２５２に蓄積される。
【００４４】
図２に戻り、ファイル（変換後素材データ）システム２７は、コンテンツデータを構成する文字、動画、音声、画像のうち少なくとも一つを含む素材データを格納する素材データ格納部であり、配信者識別子に関連付けて記憶される。特に、本実施形態において、ファイル（変換後素材データ）システム２７は、動画変換部２１６によって変換された連続画像ファイルや埋込データのうちテキストを音声に変換した音声データを蓄積している。なお、ファイル（変換後素材データ）システム２７は、世界中のプロバイダに作成されたコンテンツのコピーを蓄えたサーバーを配置し、ユーザーを最寄のサーバーにアクセスさせることで、コンテンツ配信を効率化・高速化するようになっている。
【００４５】
データベース２５は、各種のデータを蓄積するデータベース群であり、本実施形態では、オーサリングデータベース２５１と、配信管理データベース２５２と、埋込データベース２５３と、閲覧ログデータベース２５４とを備えている。
【００４６】
オーサリングデータベース２５１は、オーサリング部２１４によってオーサリングされた各素材データの座標情報などの定義データを保管する蓄積部であり、表示用データを識別する映像ＩＤに関連付けて記憶される。また、このオーサリングデータベース２５１には、埋込定義データについても映像ＩＤに関連付けて記憶される。
【００４７】
配信管理データベース２５２は、各コンテンツデータの配信期間、又は閲覧可能とするためのユニークなＵＲＬを管理・制御するための配信管理データを蓄積する蓄積部であり、映像ＩＤに関連付けられて、配信期間、閲覧可能な閲覧者の閲覧識別子、コンテンツデータに対するアクセスを許可するＵＲＬの有効期限等が記憶される。
【００４８】
埋込データベース２５３は、連続画像ファイルを含む素材データに重ね合わせて表示可能な埋込データを格納する蓄積部であり、ＵＲＬ発行インターフェース２２が外部システム４から取得した埋込データに映像ＩＤを関連付けて記憶される。
【００４９】
閲覧ログデータベース２５４は、表示用データを閲覧したログ情報を記録する蓄積部であり、この閲覧ログデータベース２５４には、表示用データを閲覧したクライアント端末３の閲覧識別子や閲覧日時等が閲覧された映像ＩＤに関連付けられて記憶される。
【００５０】
ＵＲＬ発行インターフェース２２は、クライアント端末３に配信するコンテンツデータのＵＲＬを発行するモジュールである。具体的に、ＵＲＬ発行インターフェース２２には、図３に示すように、埋込データ登録部２２１と、閲覧ＵＲＬ発行部２２２とを備えている。
【００５１】
埋込データ登録部２２１は、外部システム４から送信された埋込データを埋込データベース２５３に記憶するモジュールである。この外部システム４から送信された埋込データとは、例えば、外部システム４にアクセスしたクライアント端末３を操作する閲覧ユーザーの名前やニックネームなど、閲覧ユーザー固有のデータである。
【００５２】
この閲覧ユーザー固有のデータは、外部システム４の埋込データベース４１に蓄積されている。外部システム４では、クライアント端末３がアクセスした際における認証によって、閲覧ユーザー固有の識別情報を特定し、閲覧ユーザー固有のデータを抽出する。そして、外部システム４では、この閲覧者固有のデータと映像ＵＲＬ発行要求とをＵＲＬ発行インターフェース２２に送信する。なお、埋込データベース２５３に記憶された埋込データが文字等である場合、動画変換部２１６により、音声データに変換され、ファイル（変換後素材データ）システム２７に記憶される。
【００５３】
閲覧ＵＲＬ発行部２２２は、配信管理データにより閲覧が可能とされているコンテンツデータに対するアクセスを許可するための映像ＵＲＬを発行するモジュールである。本実施形態において、閲覧ＵＲＬ発行部２２２は、映像ＵＲＬ発行要求とともに、閲覧者固有の埋込データを取得するため、外部システム４との通信処理を実行する。
【００５４】
そして、外部システム４には、閲覧ＵＲＬ発行部２２２に対して、外部システム４毎に発行するユニークなアプリケーションＩＤ等を送信する。また、外部システム４では、埋込データ登録用として、閲覧可能とされたコンテンツの映像ＩＤを送信する。なお、映像ＩＤは、コンテンツ配信システム２から取得しておくものとする。
【００５５】
閲覧ＵＲＬ発行部２２２では、アプリケーションＩＤを有しており、送信されたアプリケーションＩＤの照合を行うとともに、承認された場合には埋込データを取得する。
【００５６】
そして、閲覧ＵＲＬ発行部２２２は、承認された際、配信管理データベース２５２を参照して映像ＵＲＬを生成する。この映像ＵＲＬには、オーサリングデータベース２５１及びファイル（変換後素材データ）システム２７など、配信すべきコンテンツを構成する各データの格納先を示しており、さらに、映像ＵＲＬには、コンテンツの配信期間や映像ＵＲＬの有効期限などが含まれる。外部システム４では、この映像ＵＲＬを埋め込んだＨＴＭＬをクライアント端末３のブラウザ部３１に配信するようになっている。なお、本実施形態では、映像ＵＲＬは、アクセス回数が１回に限定されたワンタイムＵＲＬとして発行され、発行後にアクセスが確認されると当該映像ＵＲＬは破棄され、次のアクセス要求時には、新たな映像ＵＲＬが発行される。
【００５７】
ビューシステム２３は、表示用データを生成し、クライアント端末３に対して閲覧可能に配信するモジュールである。このビューシステム２３には、図３に示すように、オーサリングデータ及び埋込データに基づいて表示用データ（ＨＴＭＬ形式）を生成し、クライアント端末３が閲覧可能となるように配信する配信部２３１を有している。また、配信部２３１は、表示用データに映像ＵＲＬを組み込んで、クライアント端末３に配信する。なお、ここでは、映像ＵＲＬと表示用データとが異なる場合を例に説明するが、映像ＵＲＬと、表示用データのＵＲＬとが同一であってもよい。
【００５８】
クライアント端末３では、ブラウザ部３１により、配信部２３１を通じて表示用データを取得し、取得した表示用データに基づいて、素材データ又は連続画像ファイルを選択的に読み込んで、読み込んだ素材データ又は連続画像ファイルに埋込データを重ね合わせて表示する。この際、ブラウザ部３１は、自機の閲覧環境に応じて、素材データ又は連続画像ファイルを選択して読み込んで、読み込んだ素材データ又は連続画像ファイルに埋込データを重ね合わせて表示する。
【００５９】
また、配信部２３１は、映像ＵＲＬによるアクセスに対して、ＵＲＬの有効期限やアクセス回数を配信管理データベース２５２に基づいて判断して、クライアント端末３に返信するか否かを判断する。
【００６０】
（コンテンツ配信方法）
以上の構成を有するコンテンツ配信システムを動作させることによって、通信ネットワークを通じてクライアント端末３に対してコンテンツデータを配信するコンテンツ配信方法を実施することができる。図５は、本実施形態に係るコンテンツ配信方法の概要を示す説明図であり、図６Ａ及び図６Ｂは、本実施形態に係るコンテンツ配信方法の詳細を示す説明図である。なお、本実施形態においては、予め、配信者用端末１及びクライアント端末３とは、コンテンツ配信システム２及び外部システム４に対して会員登録処理は済んでいるものとする。
【００６１】
（１）コンテンツ配信方法の概要
本実施形態に係るコンテンツ配信方法は、図５に示すように、クライアント端末３のブラウザ部３１は、外部システム４に対して、映像閲覧ページへアクセスする（図５中（１））。アクセスを受け付けた外部システム４は、クライアント端末３の閲覧者識別子に基づいて認証する。その後、外部システム４は、閲覧者の埋込データを自身が備える埋込データベース４１から抽出するとともに、選択されたコンテンツに関する映像ＩＤと埋込データとを付与し、映像ＵＲＬ発行要求をコンテンツ配信システム２に要求する（図５中（２））。
【００６２】
コンテンツ配信システム２のＵＲＬ発行インターフェース２２は、映像ＵＲＬ発行要求に対して、対象となる映像ＵＲＬを返信する（図５中（３））。外部システム４は、映像ＵＲＬを取得すると、この映像ＵＲＬを埋め込んだＨＴＭＬをｉＦｒａｍｅやリダイレクトなどでブラウザ部３１に配信する。ブラウザ部３１では、この映像ＵＲＬに基づいて、コンテンツ配信システム２にコンテンツの要求を行う（図５中（５））。
【００６３】
コンテンツ配信システム２の配信部２３１は、ブラウザ部３１からのアクセスに応じて、オーサリングデータベース２５１からオーサリングデータを取得するとともに、埋込データベース２５３から埋込データを取得する。そして、配信部２３１は、オーサリングデータ及び埋込データに基づいて表示用データを生成して、クライアント端末３が閲覧可能となるようにＨＴＭＬで配信する（図５中（６））。
【００６４】
クライアント端末３には、ブラウザ部３１により、配信部２３１を通じて表示用データを取得し、取得した表示用データに基づいて、素材データ又は連続画像ファイルを選択的に読み込んで、読み込んだ素材データ又は連続画像ファイルに埋込データを重ね合わせて表示する。この際、ブラウザ部３１は、自機の閲覧環境に応じて、素材データ又は連続画像ファイルを選択して読み込んで、読み込んだ素材データ又は連続画像ファイルに埋込データを重ね合わせて表示する。
【００６５】
（２）コンテンツ配信方法の詳細
次いで、コンテンツ配信方法の詳細を説明する。先ず、図６Ａ（ａ）に示すように、配信ユーザーＵ１が配信者用端末１を操作して、コンテンツデータを構成する文字、動画、音声、画像のうち少なくとも一つを含む素材データをアップロードする（Ｓ１０１）。素材管理部２１２は、アップロードされた素材データを、ファイルシステム２６に格納する（Ｓ１０２）。ここで、ファイルシステム２６に格納された素材データに動画が含まれる場合、動画変換部２１６は、その動画に含まれる各フレームを連続した複数の画像ファイルとして抽出し、連続画像ファイルに変換して、ファイル（変換後素材データ）システム２７へコピーして保存する（Ｓ１０３）。なお、動画変換部２１６は、クライアント端末３における閲覧環境に基づいて、連続画像ファイルへの変換を行う。この変換は、アクセスがある度にクライアント端末３の機種に応じた形式のみを行ってもよく、また、予めクライアントすべての機種に応じた形式に一括して行っておきアクセスがあったクライアント端末３の機種に応じた形式のファイルを選択して配信するようにしてもよい。
【００６６】
その後、図６Ａ（ｂ）に示すように、配信者用端末１からオーサリングの操作を受け付けると（Ｓ１０４）、オーサリング部２１４では、配信ユーザーＵ１の操作に基づいて、ファイル（変換後素材データ）システム２７から素材データを抽出し（Ｓ１０５）、素材データ又は連続画像ファイルを任意に組み合わせて表示するためのオーサリングデータを生成するとともに、埋込データの表示位置などを定義した埋込定義データを生成する。生成されたオーサリングデータ及び埋込定義データは、映像ＩＤに関連付けられてオーサリングデータベース２５１に記憶される（Ｓ１０６）。
【００６７】
次いで、図６Ａ（ｃ）に示すように、配信者用端末１から、例えば、各コンテンツデータの配信期間、又は閲覧可能なアクセス権限の操作を受け付けると（Ｓ１０７）、配信管理部２１５は、表示用データの配信管理処理を行い、各コンテンツデータの配信期間、又は閲覧可能なアクセス権限を制御するための配信管理データを生成する。保存された配信管理データは、配信管理データベース２５２に保存される（Ｓ１０８）。
【００６８】
その後、図６Ｂ（ａ）に示すように、閲覧者が所持するクライアント端末３から外部システム４にアクセスがあると、外部システム４では、クライアント端末３を閲覧者用識別子に基づいて閲覧者を特定する。その後、クライアント端末３からコンテンツ閲覧ページへのアクセスがあると、外部システム４では、アクセス要求されたコンテンツの映像ＩＤと、閲覧者固有の埋込データとを映像ＵＲＬ発行要求として、ＵＲＬ発行インターフェース２２に送信する（Ｓ１０９）。
【００６９】
ＵＲＬ発行インターフェース２２では、先ず、埋込データ登録部２２１において、連続画像ファイルに重ね合わせて表示可能な埋込データを取得して、この埋込データを埋込データベース２５３に格納する（Ｓ１１０）。なお、この際、動画変換部２１６は、埋込データを元に音声データを生成して、ファイル（変換後素材データ）システム２７に記憶する（Ｓ１１１）。
【００７０】
その後、映像ＵＲＬ発行部２２２は、映像ＩＤに基づいて、配信管理データベース２５２に記憶された配信管理データを参照して、閲覧が可能とされているコンテンツデータに対するアクセスを許可するための映像ＵＲＬを発行する（Ｓ１１２）。そして、映像ＵＲＬ発行部２２２は、外部システム４に映像ＵＲＬをレスポンスとして返信する（Ｓ１１３）。
【００７１】
外部システム４では、この映像ＵＲＬを埋め込んだＨＴＭＬをクライアント端末３のブラウザ部３１に配信する。その後、クライアント端末３において、閲覧ユーザーＵ２が映像の閲覧をリクエスト操作すると、そのリクエスト操作は、配信部２３１に送信される（Ｓ１１４）。
【００７２】
配信部２３１では、クライアント端末３から閲覧者識別子を取得して、認証部２４の認証処理をした後、閲覧ログを閲覧ログデータベース２５４に保存する（Ｓ１１５）。そして、配信部２３１は、映像ＵＲＬに基づいて、オーサリングデータ及び埋込データから表示用データを生成し、クライアント端末３に配信する。具体的には、オーサリングデータベース２５１からオーサリングデータを抽出するとともに、埋込データベース２５３から埋込データを抽出し、オーサリングデータと埋込データから表示用データのＨＴＭＬを生成する（Ｓ１１６）。そして、配信部２３１は、生成した表示用データのＨＴＭＬをクライアント端末３にレスポンスとして返信する（Ｓ１１７）。なお、この際、配信部２３１では、映像ＵＲＬに含まれるＵＲＬの有効期限や閲覧回数に基づいて、表示用データを配信するか否か判断する。
【００７３】
クライアント端末３のブラウザ部３１は、配信部２３１を通じて表示用データを取得し（Ｓ１１８）、取得した表示用データに基づいて、素材データ又は連続画像ファイルを選択的に読み込んで、読み込んだ素材データ又は連続画像ファイルに埋込データを重ね合わせて表示する（Ｓ１１９）。特に、ブラウザ部３１は、自機の閲覧環境に応じて、素材データ又は連続画像ファイルを選択して読み込んで、読み込んだ素材データ又は連続画像ファイルに埋込データを重ね合わせて表示する。
【００７４】
（作用・効果）
本実施形態によれば、映像（動画）を含むオーサリングデータＤ３に、埋込データＤ４を重ね合わせて表示用データＤ５を配信し、この表示用データＤ５を閲覧ユーザーＵ２が使用するクライアント端末３のブラウザ部３１に表示させることができる。この埋込データＤ４は、ユーザー毎にパーソナライズすることが可能であり、表示用データＤ５は、動画の素材データを選択的に組み合わせることができることから、これらの埋込データＤ４と動画の素材データとを適宜組み合わせ、重ね合わせて表示させることによって、ユーザー毎にパーソナライズされた映像を閲覧させることができる。特に、動画の素材データは、連続した複数の画像ファイルＤ３１〜Ｄ３５として表示用データＤ５に組み込まれることから、例えば、従来の一般的なＨＴＭＬのＶｉｄｅｏタグでの表示方法では、動画と他の素材データとを重ね合わせて表示できないスマートフォン等に一般的に備えられているブラウザや、その他閲覧環境においても、ユーザー毎にパーソナライズされた映像を配信することができる。
【００７５】
また、本実施形態では、閲覧ユーザーＵ２の使用するクライアント端末３の能力や機能等に基づく閲覧環境に応じて、素材データの動画ファイルや連続画像ファイルを適宜選択して表示させることから、より適正なコンテンツを配信することができる。
【００７６】
さらに、本実施形態では、配信管理データベース２５２に、ユーザー毎又はコンテンツデータ毎に配信期間やアクセス権限を設定する配信管理データを蓄積しておき、ユーザー毎又はコンテンツデータ毎に閲覧可能と設定されたコンテンツデータの映像ＵＲＬを発行することにより、映像ＵＲＬに対する制御を通じて、ユーザー毎又はコンテンツデータ毎に閲覧を管理することができ、ユーザーのアクセス権限や、コンテンツの有効期間を反映させたパーソナライズを可能とすることができる。
【００７７】
また、本実施形態では、映像ＵＲＬは、アクセス回数が１回に限定されたワンタイムＵＲＬとしているため、例えば、ユーザーになりすまして他人の情報を閲覧するなどの、悪意あるアクセスを防止でき、パーソナライズされたコンテンツのセキュリティを向上させることができる。
【符号の説明】
【００７８】
Ｄ１…動画
Ｄ２…再生リスト
Ｄ３…オーサリングデータ
Ｄ３０…連続画像ファイル
Ｄ３１〜Ｄ３５…画像ファイル
Ｄ４…埋込データ
Ｄ５…表示用データ
Ｕ１…配信ユーザー
Ｕ２…閲覧ユーザー
１…配信者用端末
２…コンテンツ配信システム
３…クライアント端末
４…外部システム
５…通信ネットワーク
６…無線基地局
２１…オーサリングシステム
２２…ＵＲＬ発行インターフェース
２３…ビューシステム
２４…認証部
２５…データベース
２６…ファイルシステム
２７…ファイル（変換後素材データ）システム
３１…ブラウザ部
４１…埋込データベース
２１１…ログイン部
２１２…素材管理部
２１３…埋込データ定義部
２１４…オーサリング部
２１５…配信管理部
２１６…動画変換部
２２１…埋込データ登録部
２２２…閲覧ＵＲＬ発行部２２２
２３１…配信部
２５１…オーサリングデータベース
２５２…配信管理データベース
２５３…埋込データベース
２５４…閲覧ログデータベース
【図１】
2016208111.tif 000003
【図２】
2016208111.tif 000004
【図３】
2016208111.tif 000005
【図４】
2016208111.tif 000006
【図５】
2016208111.tif 000007
【図６Ａ】
2016208111.tif 000008
【図６Ｂ】
2016208111.tif 000009
【図７】
2016208111.tif 000010